(57)【要約】【課題】表示パネルを持たない印刷装置においてデバイス状態を表示するユーテリティを持たない携帯端末機器を使用しているユーザは印刷装置のＬＥＤの表示状態のみでしかエラーの発生を知ることができない。一方で印刷装置のＬＥＤの表示状態の切り替えだけでは表現力が乏しく表現できないエラーが存在する。【解決手段】携帯端末からのジョブを受信した時のみＬＥＤ表示処理を変更し、通常とは異なる意味合いでＬＥＤを点灯させエラーをユーザに通知する。【選択図】  図１２
2015214114.tif 000002
【特許請求の範囲】
【請求項１】
ステータスとＬＥＤの表示状態を関連づけて管理するＬＥＤ状態管理手段と（７０１）、
前記ＬＥＤ状態管理手段で管理されている状態を携帯端末用に変更を指示する携帯端末用ＬＥＤ状態変更指示手段と（４０３）、
前記携帯端末用ＬＥＤ状態変更指示手段（４０３）を受け付けＬＥＤ状態を変更する手動
携帯端末用ＬＥＤ状態変更手段と（Ｓ８０１）、
前記ＬＥＤ状態管理手段で管理されている状態をＰＣ用に変更を指示するＰＣ用ＬＥＤ状態変更指示手段と（４０６）、
前記ＰＣ用ＬＥＤ状態変更指示手段（４０６）を受け付けＬＥＤ状態を変更する手動
ＰＣ用ＬＥＤ状態変更手段（Ｓ９０１）とを備えることを特徴とする画像形成装置。
【請求項２】
ステータスとＬＥＤの表示状態を関連づけて管理するＬＥＤ状態管理手段と（７０１）、
受信したジョブが携帯端末から送信されたジョブか否かを判別する携帯端末ジョブ判定手段（Ｓ１２０２、Ｓ１３０１）と、
携帯端末からのジョブを受信した際に前記ＬＥＤ状態管理手段で管理されているＬＥＤ状態を携帯端末用に切り替える自動携帯端末用ＬＥＤ状態変更手段と（Ｓ１２０３）、
携帯端末からのジョブを印刷後にＬＥＤ状態を変更する自動ＰＣ用ＬＥＤ状態変更手段（Ｓ１２０５）とを備えることを特徴とする画像形成装置。
【請求項３】
ステータスとＬＥＤの表示状態を関連づけて管理するＬＥＤ状態管理手段と（７０１）、
受信したジョブが携帯端末から送信されたジョブか否かを判別する携帯端末ジョブ判定手段（Ｓ１２０２、Ｓ１３０１）と、
携帯端末からのジョブでエラーは発生した際に前記ＬＥＤ状態管理手段で管理されているＬＥＤ状態を携帯端末用に切り替えるエラー時自動携帯端末用ＬＥＤ状態変更手段と（Ｓ１３０２）、
エラー解除後にＬＥＤ状態を変更するエラー時自動ＰＣ用ＬＥＤ状態変更手段（Ｓ１３０５）とを備えることを特徴とする画像形成装置。
【発明の詳細な説明】
【技術分野】
【０００１】
本発明は、印刷装置でエラーが発生した際に発生したエラー情報をＬＥＤに表示するための制御技術に関する。
【背景技術】
【０００２】
従来、データを印刷出力する印刷装置等においては、印刷装置に表示パネルを持たず、操作キーやＬＥＤのみを有する印刷装置が知られている。このような印刷装置は一般にＰＣ上のアプリケーションを用いて印刷装置へ指示を行う事や印刷装置の状態表示を行う事ができる。
【０００３】
このような印刷装置は一般にジョブの有無やエラーの発生に応じてＬＥＤの表示状態を切り替える（特許文献１参照）。
【０００４】
一方で携帯端末機器からは印刷装置へ印刷指示を行うことはできるが印刷装置の状態表示を行う事ができない。
【先行技術文献】
【特許文献】
【０００５】
【特許文献１】特開２０１１−１２１３７１号公報
【発明の概要】
【発明が解決しようとする課題】
【０００６】
ここでＰＣを使用しているユーザはＰＣ上のアプリケーションの表示を確認してエラー
の発生を知ることができるが携帯端末機器を使用しているユーザは印刷装置のＬＥＤの表示状態のみでしかエラーの発生を知ることができない。一方で印刷装置によってはコスト削減のためＬＥＤの数が少ない物が存在する。この場合ＬＥＤの表示状態の切り替えだけでは表現力が乏しく表現できないエラーが存在する。例えば用紙なしエラー発生時は用紙なし専用ＬＥＤが点灯するが用紙ジャム発生時は専用ＬＥＤが無いのでＬＥＤ表示が変化しない。
【０００７】
このため携帯端末機器を使用しているユーザは印刷装置がエラー状態にあるか否かを知る事が出来ないという問題があった。
【課題を解決するための手段】
【０００８】
本発明に係る画像形成装置の構成は、
ステータスとＬＥＤの表示状態を関連づけて管理するＬＥＤ状態管理手段と（７０１）、前記ＬＥＤ状態管理手段で管理されている状態を携帯端末用に変更を指示する携帯端末用ＬＥＤ状態変更指示手段と（４０３）、
前記携帯端末用ＬＥＤ状態変更指示手段（４０３）を受け付けＬＥＤ状態を変更する手動携帯端末用ＬＥＤ状態変更手段と（Ｓ８０１）、
前記ＬＥＤ状態管理手段で管理されている状態をＰＣ用に変更を指示するＰＣ用ＬＥＤ状態変更指示手段と（４０６）、
前記ＰＣ用ＬＥＤ状態変更指示手段（４０６）を受け付けＬＥＤ状態を変更する手動
ＰＣ用ＬＥＤ状態変更手段（Ｓ９０１）とを備えることを特徴とする。
【発明の効果】
【０００９】
本発明によれば、印刷装置の状態表示用のアプリケーションを持たない携帯端末機器を使用しているユーザに対してのみＬＥＤの表示状態を通常の処理と変える事で携帯端末機器を使用しているユーザにはエラーが発生している事を通知することができる。一方で通常とは異なるＬＥＤ処理を必要以上に行うとユーザビリティが低下してしまうため、ＬＥＤ処理を切り替えるタイミングを最低限に抑えることでＰＣを使用しているユーザに対しては極力通常のＬＥＤ処理を行うことできる。
【図面の簡単な説明】
【００１０】
【図１】本発明の主なユースケースを示す図である。
【図２】ＰＣの制御構成を示すブロック図である。
【図３】画像形成装置の制御構成を示すブロック図である。
【図４】ＵＩアプリケーションの画面例を示す図である。
【図５】画像形成装置のとりうるステータスを示す図である。
【図６】画像形成装置の操作部を示す図である。
【図７】画像形成装置のＬＥＤ状態管理テーブルを示す図である。
【図８】画像形成装置の携帯ＬＥＤ設定ボタン押下検知時の動作フローを示す図である。
【図９】画像形成装置の上ＬＥＤ設定ボタン受け付け時の動作フローを示す図である。
【図１０】携帯端末の制御構成を示すブロック図である。
【図１１】印刷ジョブデータのデータ構成を示すブロック図である。
【図１２】実施例２のジョブを受信した際の画像形成装置の動作フローを示す図である。
【図１３】実施例３のジャムが発生した際の画像形成装置の動作フローを示す図である。
【発明を実施するための形態】
【００１１】
［実施例１］
本発明に係る第１実施形態に係る画像形成装置について、図面を参照して説明する。
【００１２】
図１は本発明の主なユースケースを示す図である。デバイス（１０３）はＰＣ（１０２）とＵＳＢ、ＮＥＴＷＯＲＫあるいは無線ＬＡＮで接続されている。ユーザ（１０１）はＰＣ（１０２）で動作するＵＩアプリケーション（４０１）を操作することによりデバイス（１０３）に任意の設定や指示を行う事が出来る。ＰＣ（１０２）で動作するＵＩアプリケーション（４０１）はデバイス（１０３）のステータスを表示する。デバイス（１０３）は携帯端末（１０４）と無線ＬＡＮで接続されている。ユーザ（１０１）は携帯端末（１０４）を操作することによりデバイス（１０３）に任意のジョブを送信することができるがＵＩアプリケーション（４０１）は持たないためデバイス（１０３）のステータスを表示することはできない。
【００１３】
図２は本発明の実施形態のＰＣ（１０２）のハードウェア構成を示す図である。ＣＰＵ（２０１）は、システム全体を制御するプロセッサである。ＲＡＭ（２０２）は、ＣＰＵ（２０１）が動作するためのシステムワークメモリであり、プログラムを記録するためのプログラムメモリとして使用される。ＨＤＤ（２０３）はデータ記憶領域である。操作部Ｉ／Ｆ（２０４）は、操作部（２０６）とのインターフェース部で、操作部（２０６）からの入力信号を受け付ける。また、操作部（２０６）からユーザが入力した情報を、ＣＰＵ（２０１）に伝える役割をする。表示部Ｉ／Ｆ（２０９）は、表示部（２１０）とのインターフェース部で、ＣＰＵ（２０１）の制御に応じて表示部（２１０）への出力信号を出力する。
【００１４】
ＵＳＢインタフェース（２０８）は、ＵＳＢデバイスに接続するための機能ユニットで、ＵＳＢを介して他のデバイスのステータスを取得したり、ステータスを返したりするために使用される。ＬＡＮインタフェース（２０７）は、ＬＡＮに接続するための機能ユニットで、ＬＡＮを介して他のデバイスのステータスを取得したり、ステータスを返したりするために使用される。無線ＬＡＮインタフェース（２１１）は、無線ＬＡＮに接続するための機能ユニットで、無線ＬＡＮを介して他のデバイスのステータスを取得したり、ステータスを返したりするために使用される。以上のデバイスがシステムバス（２０５）上に配置される。
【００１５】
図３は本発明の実施形態のデバイス（１０３）のコントローラユニットのハードウェア構成を示す図である。コントローラユニット（３１３）は、画像出力デバイスとして機能するプリンタ（３１１）と接続することで、画像データやデバイス情報の入出力を行う。ＣＰＵ（３０１）は、システム全体を制御するプロセッサである。ＲＡＭ（３０３）は、ＣＰＵ（３０１）が動作するためのシステムワークメモリであり、プログラムを記録するためのプログラムメモリや、画像データを一時記録するための画像メモリでもある。ＮＶＭＥＭ（３０４）は不揮発性のメモリであり設定情報等を記録する。操作部（３１６）はデバイスを操作するためのキーとデバイスの状態を示すＬＥＤを保持する。
【００１６】
操作部Ｉ／Ｆ（３１５）は、操作部（３１６）とのインターフェース部で、操作部（３１６）の保持するＬＥＤの制御情報を送信する。また、操作部（３１６）からユーザが入力した情報を、ＣＰＵ（３０１）に伝える役割をする。給紙部（３１７）は用紙を保持しプリンタ（３１１）が印刷を行う際の用紙を供給する。ＦＬＡＳＨＲＯＭ（３０２）は書き換え可能な不揮発性メモリであり、システムを制御するための各種制御プログラムが記録される。ＵＳＢインターフェース（３０６）は、ＰＣ（１０２）とのＵＳＢ接続を可能にする。ＬＡＮインターフェース（３１４）はＰＣ（１０２）とのＬＡＮ接続を可能にする。
【００１７】
無線ＬＡＮインターフェース（３１８）はＰＣ（１０２）、携帯端末（１０４）との無線ＬＡＮ接続を可能にする。以上のデバイスがシステムバス（３０５）上に配置される。イメージバス（ＩＭＡＧＥ  ＢＵＳ）Ｉ／Ｆ（３０７）は、システムバス（３０５）と画像データを高速で転送する画像バス（３１２）とを接続し、データ構造を変換するバスブリッジである。画像バス（３１２）は、ＰＣＩバスまたはＩＥＥＥ１３９４で構成される。画像バス（３１２）上には以下のデバイスが配置される。ラスタイメージプロセッサ（ＲＩＰ）（３０８）はＰＤＬコードのようなベクトルデータをビットマップイメージに展開する。
【００１８】
プリンタＩ／Ｆ（３１０）は、プリンタ（３１１）とコントローラユニット（３１３）を接続し、画像データの同期系／非同期系の変換を行う。画像処理部（３０９）は、入力画像データに対し補正、加工、編集を行ったり、プリント出力画像データに対して、プリンタの補正、解像度変換等を行う。また、これに加えて、画像データの回転や、多値画像データに対してはＪＰＥＧ、２値画像データはＪＢＩＧ、ＭＭＲ、ＭＨ等の圧縮伸張処理を行う。プリンタ部（３１１）は、ラスタイメージデータを用紙上の画像に変換する部分である。その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ（３０１）からの指示によって開始する。
【００１９】
図４は操作パネルを持たないデバイス（１０３）に関する操作を行うためのＵＩアプリケーション（４０１）の画面例を示す図である。ＵＩアプリケーション（４０１）はＰＣのＣＰＵ（２０１）によって実行される。ＵＩアプリケーション（４０１）はＵＳＢインターフェース（２０８）、ＬＡＮインターフェース（２０７）あるいは無線ＬＡＮインターフェース（２１１）によってデバイス（１０３）と接続される。ユーザ（１０１）がＵＩアプリケーション（４０１）をインストールする際にＵＩアプリケーション（４０１）はデバイス（１０３）と関連付けられる。
【００２０】
ＵＩアプリケーション（４０１）はデバイス状態表示部（４０５）を持つ。デバイス状態表示部（４０５）はＵＩアプリケーション（４０１）と接続されているデバイス（１０３）のステータスに応じた画面を表示する。デバイス（１０３）のステータスについては図５で説明する。
【００２１】
ＵＩアプリケーション（４０１）はデバイス状態説明部（４０４）を持つ。デバイス状態説明部（４０４）はＵＩアプリケーション（４０１）と接続されているデバイス（１０３）のステータスに応じたテキストを表示する。デバイス（１０３）のステータスについては図５で説明する。
【００２２】
ＵＩアプリケーション（４０１）はジョブ実行状況表示部（４０２）を持つ。ジョブ実行状況説明部（４０２）はＵＩアプリケーション（４０１）と接続されているデバイスの実行しているジョブの印刷状況を示す。図４ではドキュメント名test1.docというジョブをUser１というユーザが印刷しており6ページ中3ページまで印刷が完了した事を示している。デバイスが印刷を行っていなければジョブ実行状況表示部（４０２）には何も表示されない。
【００２３】
ＵＩアプリケーション（４０１）は携帯ＬＥＤ設定ボタン（４０３）、通常ＬＥＤ設定ボタン（４０６）を持つ。携帯ＬＥＤ設定ボタン（４０３）、通常ＬＥＤ設定ボタン（４０６）をユーザ（１０１）が操作部（２０６）を用いて操作することでＬＥＤ状態管理テーブル（７０１）の値を変更する事が出来る。ＬＥＤ状態管理テーブル（７０１）については図７で説明する。
【００２４】
図５はデバイス（１０３）が取りうるステータスの一覧である。以下、各ステータスについて説明する。
【００２５】
レディ（５０１）はデバイス（１０３）が印刷可能な状態を示す。
【００２６】
ジャム（５０２）はデバイス（１０３）内に用紙が詰まり印刷が行えないことを示す。
【００２７】
用紙なし（５０３）は給紙部（３１７）に用紙が無いことを示す。
【００２８】
デバイス故障（５０４）はデバイス（１０３）に何らかの故障が生じており印刷が行えないことを示す。
【００２９】
用紙交換（５０５）は給紙部（３１７）の用紙と印刷を行おうとしている用紙のサイズが異なる事を示す。
【００３０】
図６は操作部（３１６）の詳細図である。
【００３１】
電源ＬＥＤ（６０１）はデバイス（１０３）に電源が供給されている時に点灯する。
【００３２】
紙ＬＥＤ（６０２）はデバイス（１０３）の用紙に関連するステータス時に点滅する。
【００３３】
具体的には用紙なし（５０３）、用紙交換（５０５）時である。
【００３４】
さらに紙ＬＥＤ（６０２）はデバイス故障（５０４）時には点灯する。
【００３５】
レディ（５０１）、ジャム（５０２）時はＬＥＤの状態は変化しない。
【００３６】
これらのステータスとＬＥＤの状態は図７のＬＥＤ状態管理テーブルにて管理される。
【００３７】
図７は図５に記載されたデバイス（１０３）が取りうるステータスに対するＬＥＤの状態を管理するＬＥＤ状態管理テーブル（７０１）を示す図である。
【００３８】
通常ＬＥＤ設定ボタン（４０６）を押下された場合はデバイス（１０３）のＣＰＵ（３０１）によってＬＥＤ状態管理テーブル（７０１）は本図の値を書き込まれる。
【００３９】
本テーブルはデバイス（１０３）の保持するＮＶＭＥＭ（３０４）に格納される。
【００４０】
ステータス格納領域（７１２〜７１６）にはデバイス（１０３）が取りうるステータス状態が格納される。
【００４１】
電源ＬＥＤ状態格納領域（７０２〜７０６）は各ステータス（５０１〜５０５）時の電源ＬＥＤ（６０１）の表示状態を示し０、１、２のいずれかの値が格納される。値が０であれば電源ＬＥＤ（６０１）は消灯することを示している。値が１であれば電源ＬＥＤ（６０１）は点滅することを示している。値が２であれば電源ＬＥＤ（６０１）は点灯することを示している。
【００４２】
紙ＬＥＤ状態格納領域（７０７〜７１１）は各ステータス（５０１〜５０５）時の紙ＬＥＤ（６０２）の表示状態を示し０、１、２のいずれかの値が格納される。値が０であれば紙ＬＥＤ（６０２）は消灯することを示している。値が１であれば紙ＬＥＤ（６０２）は点滅することを示している。値が２であれば紙ＬＥＤ（６０２）は点灯することを示している。
【００４３】
ＬＥＤ状態管理テーブル（７０１）のテーブル値が変化すると各ステータス（５０１〜５０５）に応じたＬＥＤの表示状態も変化する。
【００４４】
図８はＵＩアプリケーション（４０１）から携帯ＬＥＤ設定ボタン（４０３）の押下を通知された時のデバイス（１０３）の動作フローである。
【００４５】
本フローはデバイス（１０３）のＣＰＵ（３０１）によって実行される。
【００４６】
デバイス（１０３）は携帯ＬＥＤ設定ボタン（４０３）の押下を通知されるとジャムステータス時の電源ＬＥＤ状態（７０３）の値に１を書き込む（Ｓ８０１）。
【００４７】
これによりジャム（５０２）発生時に電源ＬＥＤ（６０１）が点滅する。
【００４８】
図９はＵＩアプリケーション（４０１）から通常ＬＥＤ設定ボタン（４０６）の押下を通知された時のデバイス（１０３）の動作フローである。
【００４９】
本フローはデバイス（１０３）のＣＰＵ（３０１）によって実行される。
【００５０】
デバイス（１０３）は通常ＬＥＤ設定ボタン（４０６）の押下を通知されるとジャムステータス時の電源ＬＥＤ状態（７０３）の値に２を書き込む（Ｓ９０１）。
【００５１】
これによりジャム（５０２）発生時に電源ＬＥＤ（６０１）は点灯する。
【００５２】
［実施例２］
実施例１ではＵＩアプリケーション（４０１）を操作することによりデバイス（１０３）が行うＬＥＤ制御について通常処理と携帯端末用処理を切り替えたがさらに携帯端末（１０４）からのジョブを受け付けている場合には自動的に切り替えても良い。
【００５３】
本発明に係る第２実施形態に係る画像形成装置について、図面を参照して説明する。
【００５４】
図１０は本発明の実施形態の携帯端末（１０４）のハードウェア構成を示す図である。ＣＰＵ（１００１）は、システム全体を制御するプロセッサである。ＲＡＭ（１００２）は、ＣＰＵ（１００１）が動作するためのシステムワークメモリであり、プログラムを記録するためのプログラムメモリとして使用される。ＨＤＤ（１００３）はデータ記憶領域である。操作部Ｉ／Ｆ（１００４）は、操作部（１００６）とのインターフェース部で、操作部（１００６）からの入力信号を受け付ける。また、操作部（１００５）からユーザが入力した情報を、ＣＰＵ（１００１）に伝える役割をする。
【００５５】
表示部Ｉ／Ｆ（１００９）は、表示部（１０１０）とのインターフェース部で、ＣＰＵ（１００１）の制御に応じて表示部（１０１０）への出力信号を出力する。無線ＬＡＮインタフェース（１００８）は、無線ＬＡＮに接続するための機能ユニットで、無線ＬＡＮを介して他のデバイスのステータスを取得したり、ステータスを返したりするために使用される。以上のデバイスがシステムバス（１００５）上に配置される。
【００５６】
図１１はＰＣ（１０２）、携帯端末（１０４）で作成される印刷ジョブデータ（１１０１）のデータ構成を示す図である。用紙サイズ値（１１０２）は印刷ジョブデータ（１１０１）の用紙サイズを示す値であり、Ａ３、Ａ４、Ａ５、Ｂ５、Ｂ６のいずれかの値が格納される。カラーモード値（１１０３）は印刷ジョブデータ（１１０１）がカラーかモノクロかを示す値であり、カラーであれば１、モノクロであれば０が格納される。
【００５７】
モバイルジョブ値は印刷ジョブデータ（１１０１）が携帯端末（１０４）から送信されたかＰＣ（１０２）から送信されたかを示す値であり、携帯端末（１０４）から送信された場合は１、ＰＣ（１０２）から送信された場合は０が格納される。画像データ（１１０５）は印刷ジョブデータ（１１０１）が印刷しようとする画像データが格納される。
【００５８】
図１２はジョブを受信した際のデバイス（１０３）の動作フローである。本フローはデバイス（１０３）のＣＰＵ（３０１）によって実行される。デバイス（１０３）はＵＳＢインターフェース（３０６）、ＬＡＮインターフェース（３１４）あるいは無線ＬＡＮインターフェース（３１８）印刷ジョブデータ（１１０１）を受信しＲＡＭ(３０３)に格納する。（Ｓ１２０１）。
【００５９】
次にデバイス（１０３）は印刷ジョブデータ（１１０１）のモバイルジョブ値（１１０４）が０か１かを判断する（Ｓ１２０２）。モバイルジョブ値が０であればＰＣ（１０２）からのジョブであると判断し印刷ジョブデータ（１１０１）を処理し印刷を行い（Ｓ１２０６）処理を終了する。モバイルジョブ値が１であれば携帯端末（１０４）からのジョブであると判断しジャムステータス時の電源ＬＥＤ状態（７０３）の値に１を書き込む（Ｓ１２０３）。
【００６０】
これによりジャム（５０２）発生時に電源ＬＥＤ（６０１）が点滅する。これにより携帯端末（１０４）からジョブを送信した際にジャムが発生した場合通常であればＬＥＤの状態は変化しないが本フローにより電源ＬＥＤ（６０１）が点滅するためユーザ（１０１）はエラーが発生していることを知ることができる。
【００６１】
次にデバイス（１０３）は印刷ジョブデータ（１１０１）を処理し印刷を行い（Ｓ１２０４）、ジャムステータス時の電源ＬＥＤ状態（７０３）の値に２を書き込む（Ｓ１２０５）。これにより携帯端末（１０４）からのジョブをデバイス（１０３）が保持していない場合は電源ＬＥＤ（６０１）は本来の使用用途であるデバイス（１０３）に電源が供給されているか否かを示す処理を行う。このためＰＣ（１０２）を使用しているユーザ（１０１）に対して正しいＬＥＤ表示を行う事ができる。
【００６２】
［実施例３］
実施例２では携帯端末（１０４）からのジョブを受け付けている場合には自動的にＬＥＤ処理を切り替えたが携帯端末（１０４）からのジョブでエラーが発生した場合のみＬＥＤ処理を切り替えても良い。
【００６３】
本発明に係る第３実施形態に係る画像形成装置について、図面を参照して説明する。
【００６４】
図１３はジョブの処理時にジャムが発生した際のデバイス（１０３）の動作フローである。本フローはデバイス（１０３）のＣＰＵ（３０１）によって実行される。デバイス（１０３）は印刷ジョブデータ（１１０１）のモバイルジョブ値（１１０４）が０か１かを判断する（Ｓ１３０１）。モバイルジョブ値が１であれば携帯端末（１０４）からのジョブであると判断しジャムステータス時の電源ＬＥＤ状態（７０３）の値に１を書き込む（Ｓ１３０２）。
【００６５】
次にデバイス（１０３）はジャムが解除されるのを待ち（Ｓ１３０３）ジャムが解除されると印刷ジョブデータ（１１０１）を処理し印刷を行う（Ｓ１３０４）。次にデバイス（１０３）はジャムステータス時の電源ＬＥＤ状態（７０３）の値に２を書き込む（Ｓ１３０５）。
【００６６】
これにより携帯端末（１０４）からのジョブでジャムが発生した場合には電源ＬＥＤ（６０１）を点滅させユーザ（１０１）にエラーを通知することができる。
【符号の説明】
【００６７】
１０１：ユーザ、１０２：ＰＣ、１０３：デバイス、１０４：携帯端末
【図１】
2015214114.tif 000003
【図２】
2015214114.tif 000004
【図３】
2015214114.tif 000005
【図４】
2015214114.tif 000006
【図５】
2015214114.tif 000007
【図６】
2015214114.tif 000008
【図７】
2015214114.tif 000009
【図８】
2015214114.tif 000010
【図９】
2015214114.tif 000011
【図１０】
2015214114.tif 000012
【図１１】
2015214114.tif 000013
【図１２】
2015214114.tif 000014
【図１３】
2015214114.tif 000015